(57)【要約】      （修正有）【課題】地震などによる揺れを受けても野縁から外れることがなく、しかも取り付け作業が簡単な器具落下防止用ワイヤーを提供する。【解決手段】溝型を呈し、かつ開口縁２０に、内側に突出する係止部２２が設けられた金属製の野縁１８の両開口縁のいずれか一方に差し込んで使用されるワイヤー１０であり、ワイヤー本体２６と、ワイヤー本体に連結されたクリップ２８とを備えている。ワイヤー本体は、可撓性を有し、かつ任意の長さを有する線条体である。クリップには、帯状弾性板を略Ｕ字状に湾曲して両側に垂下した脚部３０が設けられ、さらに両脚部をそれぞれ内側にＶ字状に折り曲げて両脚部の各先端部３２が互いに押圧した状態で接するように形成されている。クリップは、脚部を野縁の開口縁に差し込むだけでワンタッチで簡単に野縁に取り付けることができる。【選択図】図２
0003198397.tif 000002
【実用新案登録請求の範囲】
【請求項１】
溝型を呈し、かつ開口縁に、内側に突出する係止部が設けられた金属製の野縁の両開口縁のいずれか一方に差し込んで使用されるものであって、
ワイヤー本体と、前記ワイヤー本体に連結されたクリップとを備え、
前記ワイヤー本体は、可撓性を有し、かつ任意の長さを有する線条体であり、
前記クリップは、帯状弾性板を略Ｕ字状に湾曲して両側に垂下した脚部が設けられ、さらに前記両脚部をそれぞれ内側にＶ字状に折り曲げて前記両脚部の各先端部が互いに押圧した状態で接するように形成されていることを特徴とする落下防止用ワイヤー。
【請求項２】
請求項１に記載の落下防止用ワイヤーにおいて、
前記クリップの頂部が山形に形成され、前記クリップの山形の頂部を横断するように透孔が設けられ、
前記ワイヤー本体の一端が、前記クリップ頂部の前記透孔に挿通されて結ぶことにより前記クリップに連結されていることを特徴とする落下防止用ワイヤー。
【請求項３】
請求項１又は２に記載の落下防止用ワイヤーにおいて、
前記クリップの帯状弾性板は、薄肉鋼板であることを特徴とする落下防止用ワイヤー。
【請求項４】
請求項１乃至３のいずれかに記載の落下防止用ワイヤーにおいて、
前記野縁は両開口縁の前記係止部が内側に向かってＬ字状に折り曲げられた形状とされていることを特徴とする落下防止用ワイヤー。
【請求項５】
請求項１乃至４のいずれかに記載の落下防止用ワイヤーにおいて、
前記帯状弾性板の脚部は、野縁１８の係止部２２の内壁に接する部分に、尖ったエッジを有することを特徴とするる落下防止用ワイヤー。
【考案の詳細な説明】
【技術分野】
【０００１】
本考案は、建築物の天井スラブから野縁を介して吊り下げられた天井板に取り付けられている器具の落下を防止する落下防止用ワイヤーに関する。
【背景技術】
【０００２】
従来から第４図（ａ）に示すように、建築物における天井部分には内装材として天井板１２を取り付ける場合がある。天井板１２は、建築物の天井スラブ１４から吊りボルト等の吊り具１６を介して吊り下げられる野縁１８に張り付けられている。天井板１２は野縁１８に一体的に組みつけられた野縁受け２４および吊り具１６を介して支持されている。
【０００３】
野縁１８と野縁受け２４とは、第４図（ｂ）に示すように、鋼材により横断面が略コ字状に形成されたもので、互いに格子状に組み合わされて天井板１２と共に一体的に固定されている。天井板１２は、直接的には野縁１８に取り付けられている。野縁１８は、吊り具１６に連結された野縁受け２４に支持されている。
【０００４】
地震による横揺れなどの作用力が、野縁１８や野縁受け２４に及ぼされると、天井板１２に取り付けられている器具が天井板１２から外れたりするおそれがある。天井板１２に取り付けられている器具としては、例えば、天井板１２の変動を抑えるための天井周りカバー、照明器具、天井の装飾品などがある。
【０００５】
ところで、本考案者等は、先に、天井板の変動を抑えるための天井周りカバーを考案し実用新案登録出願を行った（特許文献１参照）。この天井周りカバーは、図５に示している。（ａ）は天井周りカバー４４を取付る前の、建築物における天井部分を示しており、（ｂ）は天井周りカバーを取付後の、建築物における天井部分を示している。
【０００６】
天井周りカバー４４は、図５（ｂ）に示すように、建築物の壁躯体４６に対して所定の間隙をおいて設置された天井板１２の周縁に、間隙を遮蔽するように多数個が取り付けられる。
天井周りカバー４４は、天井板１２の周縁に当接されるカバー本体４５と、カバー本体４５に幅方向に横断するように配置されてカバー本体４５を天井板１２に保持する押えばね４８とを備える。
【先行技術文献】
【特許文献】
【０００７】
【特許文献１】実用新案登録第３１７７１３８号公報
【考案の概要】
【考案が解決しようとする課題】
【０００８】
図５（ｂ）に示した建築物における天井部分に、地震による横揺れなどの作用力が生じた場合、天井周りカバー４４が天井板１２から外れて落下するおそれがある。この落下を防止するため、天井周りカバー４４にワイヤーの一端を結び付け、同ワイヤーの他端を、図示を省略したが、天井板１２を一体的に支持している野縁に連結している。ワイヤーの他端を野縁に連結する手段としては、ワイヤーの他端と野縁とをボルト締めを行って締結している。
このため、多数の天井周りカバー４４にそれぞれ連結されたワイヤーを、野縁に取り付けるためのボルト締め作業に相当の手間と時間が掛かるという問題があった。
【０００９】
本考案は、かかる従来の問題点を解決するもので、地震などによる揺れを受けても確実に器具の落下を防止でき、しかも取り付け作業が簡単である落下防止用ワイヤーを提供することを目的とする。
【課題を解決するための手段】
【００１０】
以下の構成はそれぞれ上記の課題を解決するための手段である。
〈構成１〉
溝型を呈し、かつ開口縁に、内側に突出する係止部が設けられた金属製の野縁の両開口縁のいずれか一方に差し込んで使用されるものであって、ワイヤー本体と、前記ワイヤー本体に連結されたクリップとを備え、前記ワイヤー本体は、可撓性を有し、かつ任意の長さを有する線条体であり、前記クリップは、帯状弾性板を略Ｕ字状に湾曲して両側に垂下した脚部が設けられ、さらに前記両脚部をそれぞれ内側にＶ字状に折り曲げて前記両脚部の各先端部が互いに押圧した状態で接するように形成されていることを特徴とする落下防止用ワイヤー。
【００１１】
〈構成２〉
構成１に記載の落下防止用ワイヤーにおいて、前記クリップの頂部が山形に形成され、前記クリップの山形の頂部を横断するように透孔が設けられ、前記ワイヤー本体の一端が、前記クリップ頂部の前記透孔に挿通されて結ぶことにより前記クリップに連結されていることを特徴とする落下防止用ワイヤー。
【００１２】
〈構成３〉
構成１又は２に記載の落下防止用ワイヤーにおいて、前記クリップの帯状弾性板は、薄肉鋼板であることを特徴とする落下防止用ワイヤー。
〈構成４〉
構成１乃至３のいずれかに記載の落下防止用ワイヤーにおいて、前記野縁は両開口縁の前記係止部が内側に向かってＬ字状に折り曲げられた形状とされていることを特徴とする落下防止用ワイヤー。
【００１３】
〈構成５〉
構成１乃至４のいずれかに記載の落下防止用ワイヤーにおいて、前記帯状弾性板の脚部は、野縁１８の係止部２２の内壁に接する部分に、尖ったエッジを有することを特徴とする落下防止用ワイヤー。
【考案の効果】
【００１４】
〈構成１の効果〉
クリップの脚部を野縁の開口縁に差し込むだけでワンタッチで簡単に野縁に取り付けることができる。クリップの一方の脚部の先端部が野縁の係止部の内側に係止され、かつクリップの他方の脚部の先端部が野縁の外側面にしっかりとフィットして固定されるため、野縁に対してクリップの両脚部による強力な摩擦力が作用しクリップがずれ動くことがなく野縁から外れることがない。
〈構成２の効果〉
簡単な構造でワイヤー本体をクリップに連結できる。
〈構成３の効果〉
クリップが薄肉金属製なので、薄肉であっても野縁を堅固に把持して落下防止が可能である。よって薄肉による軽量化を図ることができる。
〈構成４の効果〉
クリップの脚部が野縁の係止部に確実に係止し、野縁に対してクリップがずれ動くことがなく野縁から外れ難くする。
〈構成５の効果〉
クリップが野縁に対して横方向に滑らないで固定されるので、クリップを取り付けた位置が移動することがなく、クリップが野縁から外れることがない。
【図面の簡単な説明】
【００１５】
【図１】実施例１の落下防止用ワイヤーを示す図で、（ａ）は全体構成を示す斜視図、（ｂ）は落下防止用ワイヤーを構成するクリップを示す側面図である。
【図２】同落下防止用ワイヤーを野縁に取り付ける状況を示す図で、（ａ）は取り付け途中の状況を示す説明図、（ｂ）は取り付け後の状態を示す説明図である。
【図３】野縁に取り付けられた同落下防止用ワイヤーの作動状態を示す図で、（ａ）はワイヤー本体に牽引力が作用していない状態を示す説明図、（ｂ）はワイヤー本体に牽引力が作用している状態を示す説明図である。
【図４】同落下防止用ワイヤーを取り付ける野縁とこの野縁に一体的に固定される野縁受けおよび天井板を示す図で、（ａ）はこれらを建築物の天井スラブに吊り具を介して吊り下げた状態を示す説明図、（ｂ）はその一部を拡大して示す説明図である。
【図５】（ａ）は従来の建築物における天井部分には天井板を取り付けた例を示す説明図、（ｂ）はその天井板に、天井板の変動を抑えるための天井周りカバーを取り付けた例を示す説明図である。
【考案を実施するための形態】
【００１６】
以下、本考案の実施の形態を実施例に基づいて説明する。
【実施例１】
【００１７】
図１は実施例１の落下防止用ワイヤーを示す図で、（ａ）は全体構成を示す斜視図、（ｂ）は落下防止用ワイヤーを構成するクリップを示す側面図である。
【００１８】
本考案の落下防止用ワイヤー１０は、図２に示すように、溝型を呈し、かつ両開口縁２０に、内側に突出する係止部２２が設けられた形状の野縁１８の落下防止に使用されるものである。落下防止用ワイヤー１０は、図１（ａ）に示すように、ワイヤー本体２６と、ワイヤー本体２６に連結されたクリップ２８とを備え、野縁１８の両開口縁のいずれか一方に差し込んで使用される。
【００１９】
ワイヤー本体２６は、可撓性を有し、かつ任意の長さを有する線条体である。ワイヤー本体２６は、複数本の極細の鋼線を撚り合せてなる鋼撚線である。ワイヤー本体２６は細径の鋼撚線であるので、細くても所望の強張力が得られる。ワイヤー本体２６の両端部は、図１（ａ）に示すように、それぞれリング状に湾曲され端部近傍に圧縮締付部材２７を嵌入すると共にこれを圧縮することによりリング状部分２５ａ、２５ｂが形成されている。
【００２０】
クリップ２８は、図１（ｂ）に示すように、帯状弾性板を略Ｕ字状に湾曲して両側に垂下した脚部３０が設けられ、さらに両脚部３０をそれぞれ内側にＶ字状に折り曲げて両脚部３０の各先端部３２が互いに押圧した状態で接するように形成されている。クリップ２８の帯状弾性板は、薄肉鋼板である。クリップ２８は金属製なので、薄肉であっても野縁１８を堅固に把持して落下防止を行うことができる。
【００２１】
クリップ２８は頂部３４が山形に形成され、頂部３４を横断するように透孔３６が設けられている。ワイヤー本体２６の一端は、リング状部分２５ａが透孔３６に挿通されることによりクリップ２８に連結されている。ワイヤー本体２６の他端は、リング状部分２５ｂを、例えばカラビナのような連結具４０および紐状物４１等を介して天井板１２に取り付けられている器具４４に係止される。なお、この実施例における「天井板１２に取り付けられている器具」としては、例えば、天井板１２の変動を抑えるための天井周りカバー４４（図５）である。また、この実施例における「紐状物４１」としてはワイヤーが用いられ、予め天井周りカバー４４の先端部に設けられた透孔４２に通して連結具４０に係止される。
【００２２】
図２に、本考案の落下防止用ワイヤー１０を野縁１８に取り付ける状況を示している。落下防止用ワイヤー１０を取り付ける野縁１８は、上述したように溝型を呈し、かつ両開口縁２０に、内側に突出する係止部２２が設けられた形状のものであり、金属製である。係止部２２は両開口縁２０の内側に向かってＬ字状に折り曲げられた形状とされている。
【００２３】
クリップ２８を野縁１８に取り付けるときは、先ず、図２（ａ）に示すように、脚部３０を野縁１８の両開口縁２０のいずれか一方に差し込む。次いで、図２（ｂ）に示すように、クリップ２８を若干引き上げて先端部３２を野縁１８の係止部２２の内側に係止させることにより取付が完了する。
このように、クリップ２８は、脚部３０を野縁１８の開口縁２０に差し込むだけでワンタッチで簡単に野縁１８に取り付けることができる。
【００２４】
クリップ２８の一方の脚部３０の先端部３２が野縁１８の係止部２２の内側に係止されたとき、クリップ２８の他方の脚部３０の先端部３２が野縁１８の外側面にしっかりとフィットして固定される。したがって、野縁１８に対してクリップ２８の両脚部３０による強力な摩擦力が作用しクリップ２８がずれ動くことがなく野縁１８から外れることがない。
【００２５】
図３は、野縁１８に取り付けられた落下防止用ワイヤー１０の作動状態を示す図で、（ａ）はワイヤー本体２６に牽引力が作用していない状態を示す説明図、（ｂ）はワイヤー本体２６に牽引力が作用している状態を示す説明図である。
【００２６】
クリップ２８は、ワイヤー本体２６による横方向の牽引力が作用していない状態では、図３（ａ）に示すように、クリップ先端部３２の縁部が野縁１８の係止部２２と平行な状態となっている。ワイヤー本体２６に矢印５０の方向に牽引力が作用した場合には、図３（ｂ）に示すように、クリップ２８が傾斜して脚部の一方の先端部３２の尖ったエッジ３２ａが野縁１８の係止部２２の内壁に食い込んで強力な摩擦力が作用する。したがって、クリップ２８は、野縁１８に対して横方向に滑らないで固定される。クリップ２８を取り付けた位置が移動しないし、クリップ２８が野縁１８から外れることがない。
【符号の説明】
【００２７】
１０  落下防止用ワイヤー
１２  天井板
１４  天井スラブ
１６  吊り具
１８  野縁
２０  開口縁
２２  係止部
２４  野縁受け
２５ａ  リング状部分
２５ｂ  リング状部分
２６  ワイヤー本体
２７  圧縮締付部材
２８  クリップ
３０  脚部
３２  先端部
３４  頂部
３６  透孔
４０  連結具
４４  天井周りカバー
４５  カバー本体
４６  建築物の壁躯体
４８  押えばね
５０  矢印
【図１】
0003198397.tif 000003
【図２】
0003198397.tif 000004
【図３】
0003198397.tif 000005
【図４】
0003198397.tif 000006
【図５】
0003198397.tif 000007